(57)【特許請求の範囲】
【請求項１】
多数のサーバを収容した複数台のサーバラックを互いに隣接配置可能なケーシング内に設置するとともに、該ケーシング内に各サーバを冷却するための冷却設備を備えて、それ自体がサーバ室として機能するサーバ室ユニットであって、
前記ケーシング内にコールドエリアとホットエリアとを区画形成するとともに、前記サーバラックを前記コールドエリア側から前記ホットエリア側に通風可能に構成してそれらコールドエリアとホットエリアの境界部に一列に並べて配列し、
前記冷却設備を、前記ケーシング内に外気を取り入れて前記コールドエリアから前記サーバラック内を通過させて前記サーバを冷却し前記ホットエリアから外部に排気する排気ファンと、冷気を調製して前記コールドエリアに給気し前記サーバラック内を通過させて前記サーバを冷却した暖気を前記ホットエリアから還気として回収して前記ケーシング内を循環させる構成の空調装置とにより構成してなり、
前記還気は前記ホットエリアに隣接して設けられたミキシングチャンバへ回収され、前記空調装置が収容された空調機室を経由して前記コールドエリアに給気可能に構成されていることを特徴とするサーバ室ユニット。
【請求項２】
請求項１記載のサーバ室ユニットであって、
前記ケーシングの外形を直方体形状として、前記コールドエリアと前記ホットエリアをそれぞれ該ケーシング内の両側において該ケーシングの長さ方向に沿うように設定し、
前記サーバラックを前記ケーシング内の中央部において前記コールドエリアと前記ホットエリアとの境界部に沿って一列に配列してなることを特徴とするサーバ室ユニット。
【請求項３】
請求項１記載のサーバ室ユニットであって、
前記ケーシングの外形を直方体形状として、前記ケーシング内の中央部に該ケーシングの長さ方向に沿って前記コールドエリアを設定するとともに、該コールドエリアの両側にそれぞれ前記ホットエリアを設定し、
前記サーバラックを前記コールドエリアとその両側の前記ホットエリアとの境界部に沿って二列に配列してなることを特徴とするサーバ室ユニット。
【請求項４】
請求項１記載のサーバ室ユニットであって、
前記ケーシングの外形を直方体形状として該ケーシング内を上下２段に区画し、前記コールドエリアを下段に設定するとともに前記ホットエリアを上段に設定し、前記サーバラックを該ケーシング内の下部において該ケーシングの片側に該ケーシングの長さ方向に沿って一列に配列してなることを特徴とするサーバ室ユニット。
【請求項５】
請求項１記載のサーバ室ユニットであって、
前記ケーシングの外形を直方体形状として、前記コールドエリアを該ケーシング内の一方側に設定し、該ケーシング内の他方側を上下２段に区画して上段に前記ホットエリアを設定するとともにその下段に前記サーバラックを該ケーシングの長さ方向に沿って一列に配列してなることを特徴とするサーバ室ユニット。
【請求項６】
請求項１，２，３，４または５記載のサーバ室ユニットを構成単位とするユニット型データセンターであって、
複数台の前記サーバ室ユニットを建物内において隣接配置して各サーバ室ユニットの全体でサーバ室を構成してなることを特徴とするユニット型データセンター。
【発明の詳細な説明】
【技術分野】
【０００１】
本発明は多数のサーバを設置するための施設であるデータセンターに関連し、特に複数のサーバラックをケーシング内に設置してそれ自体がサーバ室として機能するサーバ室ユニットと、そのサーバ室ユニットを構成単位とするユニット型データセンターに関する。
【背景技術】
【０００２】
周知のように、データセンターは多数のサーバをサーバラック内に高密度に収容し、そのサーバラックをサーバ室に多数配置することで構成される施設である。
この種のデータセンターでは、サーバからの発熱を処理するための冷却設備が不可欠であり、たとえば特許文献１に示されるようにサーバ室内をホットゾーンとコールドゾーンに区画することによってサーバラック全体を効率的に冷却するような空調装置が備えられることが一般的である。
【先行技術文献】
【特許文献】
【０００３】
【特許文献１】特開２０１０−４９３３０号公報
【発明の概要】
【発明が解決しようとする課題】
【０００４】
ところで、この種のデータセンターを計画するに当たっては、当初から大きな設備を用意するのではなく、将来的な需要拡大に応じて段階的に設備を増強可能としておくことが好ましいとされる。そのため、数ラック〜数十ラック程度のサーバラックを１ユニット（あるいは１モジュール）として構成しておき、そのようなユニットをユニット単位で適宜増設していくことでサーバ台数を増加させる構成のユニット型データセンターが主流になりつつある。
【０００５】
そして、この種のユニット型データセンターの代表例として、輸送型コンテナを利用したコンテナ型データセンターが知られている。これは、
・輸送が容易である、
・各ユニットが事前に最適設計されているので省エネルギー性に優れる、
・サーバ室としてのスペース効率が高い、
・複数並設することのみでデータセンターの早期構築、早期稼働が可能である、
・屋外型のデータセンターとすることもできる、
といった利点があり、今後の普及が期待されている。
【０００６】
しかし、上記従来のコンテナ型データセンターは以下のような課題もある。
・コンテナ内部は省スペース設計とされているが、輸送型コンテナの設置場所はある程度の大空間（平面方向および高さ方向）が必要であり、データセンター全体としてのスペース効率は必ずしも充分ではない、
・コンテナを隣接して並べることができない、
・建物内に多数のコンテナを隣接配置することは必ずしも容易ではなく合理的ではない、・輸送型コンテナには寸法の制約がある。
【０００７】
上記事情に鑑み、本発明は従来のコンテナ型データセンターが有する上記の課題を解決し得る有効適切なユニット型データセンターを提供することを目的とし、かつそのための構成要素である有効適切なサーバ室ユニットを提供することを目的としている。
【課題を解決するための手段】
【０００８】
請求項１記載の発明は、多数のサーバを収容した複数台のサーバラックを互いに隣接配置可能なケーシング内に設置するとともに、該ケーシング内に各サーバを冷却するための冷却設備を備えて、それ自体がサーバ室として機能するサーバ室ユニットであって、前記ケーシング内にコールドエリアとホットエリアとを区画形成するとともに、前記サーバラックを前記コールドエリア側から前記ホットエリア側に通風可能に構成してそれらコールドエリアとホットエリアの境界部に一列に並べて配列し、前記冷却設備を、前記ケーシング内に外気を取り入れて前記コールドエリアから前記サーバラック内を通過させ前記ホットエリアから外部に排気する排気ファンと、冷気を調製して前記コールドエリアに給気し前記サーバラック内を通過した暖気を前記ホットエリアから還気として回収して前記ケーシング内を循環させる構成の空調装置とにより構成してなり、前記還気は前記ホットエリアに隣接して設けられたミキシングチャンバへ回収され、前記空調装置が収容された空調機室を経由して前記コールドエリアに給気可能に構成されていることを特徴とする。
【０００９】
請求項２記載の発明は、請求項１記載のサーバ室ユニットであって、前記ケーシングの外形を直方体形状として、前記コールドエリアと前記ホットエリアをそれぞれ該ケーシング内の両側において該ケーシングの長さ方向に沿うように設定し、前記サーバラックを前記ケーシング内の中央部において前記コールドエリアと前記ホットエリアとの境界部に沿って一列に配列してなることを特徴とする。
【００１０】
請求項３記載の発明は、請求項１記載のサーバ室ユニットであって、前記ケーシングの外形を直方体形状として、前記ケーシング内の中央部に該ケーシングの長さ方向に沿って前記コールドエリアを設定するとともに、該コールドエリアの両側にそれぞれ前記ホットエリアを設定し、前記サーバラックを前記コールドエリアとその両側の前記ホットエリアとの境界部に沿って二列に配列してなることを特徴とする。
【００１１】
請求項４記載の発明は、請求項１記載のサーバ室ユニットであって、前記ケーシングの外形を直方体形状として該ケーシング内を上下２段に区画し、前記コールドエリアを下段に設定するとともに前記ホットエリアを上段に設定し、前記サーバラックを該ケーシング内の下部において該ケーシングの片側に該ケーシングの長さ方向に沿って一列に配列してなることを特徴とする。
【００１２】
請求項５記載の発明は、請求項１記載のサーバ室ユニットであって、前記ケーシングの外形を直方体形状として、前記コールドエリアを該ケーシング内の一方側に設定し、該ケーシング内の他方側を上下２段に区画して上段に前記ホットエリアを設定するとともにその下段に前記サーバラックを該ケーシングの長さ方向に沿って一列に配列してなることを特徴とする。
【００１３】
請求項６記載の発明は、請求項１，２，３，４または５記載のサーバ室ユニットを構成単位とするユニット型データセンターであって、複数台の前記サーバ室ユニットを建物内において隣接配置して各サーバ室ユニットの全体でサーバ室を構成してなることを特徴とする。
【発明の効果】
【００１４】
本発明のサーバ室ユニットはそれ自体でサーバ室として機能するものであって、ケーシング内に多数のサーバラックをコンパクトに収容可能であるので、充分なる小形軽量化を図ることができ、サーバ室としての省スペース化を充分に実現できるものである。
【００１５】
また、本発明のユニット型データセンターによれば、上記のサーバ室ユニットを建物内に多数並設することによりその全体で大規模なデータセンターをコンパクトに構成することができ、特にその施工は予め部品化して製作したサーバ室ユニットを搬送し設置位置で組み立てて据え付けるだけで極めて容易に行い得るから、現場作業を大幅に軽減できて効率的な施工性が可能である。また、必要に応じてサーバ室ユニットの設置台数を適宜増減することが可能であるから将来的な需要変動に対して容易にかつ迅速に対応することができ、データセンターの形態として極めて合理的である。また、搬送する場合に限らず、現地での施工となる場合でも本発明の手法は、データセンタービルのモジュール設計の手法としても有効である。
【図面の簡単な説明】
【００１６】
【図１】本発明の第１実施形態であるサーバ室ユニットの概略構成を示す図である。
【図２】同サーバ室ユニットによるユニット型データセンターの構成例を示す図である。
【図３】本発明の第２実施形態であるサーバ室ユニットの概略構成を示す図である。
【図４】同サーバ室ユニットによるユニット型データセンターの構成例を示す図である。
【図５】本発明の第３実施形態であるサーバ室ユニットの概略構成を示す図である。
【図６】同サーバ室ユニットによるユニット型データセンターの構成例を示す図である。
【図７】本発明の第４実施形態であるサーバ室ユニットの概略構成を示す図である。
【発明を実施するための形態】
【００１７】
図１は本発明の第１実施形態（請求項２に係る発明に相当）であるサーバ室ユニットＵ１の概略構成を示すものである。これは、多数のサーバ（図示略）を高密度に収容した複数台（図示例では１０台であるが、その台数は任意で良い）のサーバラック１をケーシング２内に設置するとともに、ケーシング２内に各サーバを冷却するための冷却設備１０を備えていて、それ自体が独立したサーバ室として機能するものである。
上記のケーシング２としては、後述するように同形、同一寸法のものどうしを密接状態で隣接配置し得るように、少なくとも両側面は平面として形成しておく必要がある。
また、ケーシング２はたとえば鋼製とすることが現実的であるが、従来の輸送用コンテナのように過度に頑強である必要はなく、簡易的な間仕切り程度でも十分である。実際の施工においては、モジュール設計手法により予め所定規格で製作したパネルやパーツを用いて設置位置にて簡易に組み立て可能な構成としておくか、可能であれば工場にて予め組み立ててそのまま設置位置に搬送して据え付けるようにすれば良い。
【００１８】
本第１実施形態のサーバ室ユニットＵ１では、上記のケーシング２を直方体形状の外形をなす実質的に気密可能な箱体とし、そのケーシング２の内部にコールドエリア４とホットエリア５とを区画形成して、それらコールドエリア４とホットエリア５をそれぞれケーシング２内の両側においてケーシング２の長さ方向に沿うように設定している。
そして、上記のサーバラック１をコールドエリア４側からホットエリア５側に通風可能に構成しており、それらサーバラック１をケーシング２内の中央部においてコールドエリア４とホットエリア５の境界部に一列に並べて配列している。
【００１９】
また、本実施形態における冷却設備１０は、ケーシング２内を外気により換気するための排気ファン１１と、ケーシング２内で冷気を循環させる構成の空調装置１２とにより構成され、かつその空調装置１２は冷却器１３と給気ファン１４を主体として構成されており、この空調装置１２は空調機室２１に設置されている。
具体的には、ケーシング２の一端側（図示例では右端側）には排気室２０が設置され、他端側（同、左端側）には空調機室２１およびそれに通じるミキシングチャンバ２２が設置されていて、排気室２０の内部に上記の排気ファン１１が設置され、その排気ファン１１によってホットエリア５からの暖気が外部に排気され、その排気量相当分の外気がミキシングチャンバ２２に取り入れられて空調機室２１を経てコールドエリア４に供給されるようになっており、その外気がサーバラック１を通過することで外気によるサーバ冷却が可能となっている。
また、空調装置１２により調製した冷気をコールドエリア４に給気することによりサーバラック１内を通過させてサーバを冷却し、冷却後の暖気をホットエリア５から還気としてミキシングチャンバ２２を介して空調機室２１に回収してケーシング２内において循環させることにより、空調装置１２によるサーバ冷却も可能となっている。
【００２０】
上記の排気ファン１１および空調装置２１における冷却器１３および給気ファン１４はバックアップを考慮して少なくとも２台ずつ並設する冗長構成とすることが好ましい。
また、冷却器１３としては冷却温度が露点温度以上で結露を生じないドライコイルとすることが好ましい。
勿論、通常のサーバ室に対して冷却を行う場合と同様に、コールドエリア４やホットエリア５の要所において温度や圧力を検出したり、サーバの稼働率や電流値、表面温度その他の情報からケーシング２内の冷却負荷や温度分布、各部の差圧等を監視し、それに基づいて冷却器１３や給気ファン１４，排気ファン１１および後述する各ダンパを制御して最適な冷却を行うための適宜の制御装置を備えておくことが好ましい。
【００２１】
なお、図中に符号２３を付して示した矢印は外部からケーシング２内への電力や通信等のインフラ設備の引き込みルートを示す。
また、符号２５はコールドエリア４と空調機室２１との間に設置された給気ガラリ、２６はホットエリア５とミキシングチャンバ２２の間に設置された還気ガラリ、２７は還気量調整用の還気ダンパ、２８は外部より外気を取り入れるための外気ダンパ、２９はホットエリア５と排気室２０との間に設置された排気ガラリ、３０は排気ダンパ、３１は外部へ排気するための排気ガラリであり、それらを通して給気、還気、排気、外気がそれぞれ矢印で示した経路で流れるようになっている。
さらに、図中の符号３２は要所に設置された点検扉である。
【００２２】
本実施形態のサーバ室ユニットＵ１では、外気温度が充分に低いような場合や、サーバ発熱がさして大きくないような場合には、空調装置１２による空調を行うことなく、排気ファン１１のみによる完全外気冷却を行えば良い。
この場合、外気はミキシングチャンバ２２から空調機室２１を経てコールドエリア４に吸引され、サーバラック１を通過してホットエリア５から排気ファン１１によって外部に排気されることになるから、ケーシング２内における気流分布はほぼ一方向となってショートサーキットが生じない好ましい気流分布が得られ、通常はこのような完全外気冷却により多数のサーバラック１全体に対する優れた冷却効率が得られる。
なお、この場合、排気ファン１１の運転のみでも外気を吸引して上記の経路でケーシング２内を流通させることが可能であるが、必要であれば同時に給気ファン１４を運転して外気を吸引してコールドエリア４に給気することでも良い。
【００２３】
但し、厳冬期等において外気温が過度に低温である場合には、そのまま完全外気冷房を行うことが好ましくない場合もあり、その場合には必要に応じて排気ファン１１や給気ファン１４の風量制御と各ダンパの開度調整を行って暖気の一部を還気として回収してミキシングチャンバ２２にて外気と混合することにより、コールドエリア４への給気温度や給気量を適正に調製すれば良い。
【００２４】
勿論、猛暑時のように外気温度が高すぎて外気冷房に適さない場合には、外気を取り入れることなく、空調装置１２により冷気を調製しつつケーシング２内を循環させることで冷却することもできる。
その場合には、排気ファン１１を停止し、空調装置１２によりたとえば２０〜３０℃の冷気を調製して給気ファン１４によりコールドエリア４に給気してサーバラック１内を通過させ、サーバラック１を通過してサーバを冷却してたとえば３５〜４５℃程度まで昇温された暖気を還気としてホットエリア５からミキシングチャンバ２２を経由して回収してケーシング２内を循環させれば良く、それにより空調装置１２による効率的な冷却が可能である。
【００２５】
本実施形態のサーバ室ユニットＵ１は、ケーシング２内に電力および通信等のインフラ設備２３を引き込むことのみで、このサーバ室ユニットＵ１がそれ自体でサーバ室として機能するものであり、特にケーシング２内に多数のサーバラック１をコンパクトに収容可能であるので充分なる小形軽量化を図ることができるし、在来のサーバ室のようにフリーアクセスフロアも不要であるから、サーバ室としての省スペース化を充分に実現できるものである。
たとえば、図１に示すように１０台のサーバラック１を収容するものとしては、ケーシング２の外形寸法を長さ11700mm、幅3600mm、高さ3000mm程度とすることができる。
【００２６】
そして、複数台のサーバ室ユニットＵ１を建物内において隣接配置して並設することにより、その全体で大規模なデータセンターをコンパクトに構成することができる。たとえば図２に示すように上記のサーバ室ユニットＵ１を４台並設することにより、全４０台ものサーバラック１を備えたサーバ室をわずか14400mmの奥行きで構成することができ、従来のこの種のデータセンターに比べて充分なる省スペース化を実現できる。
この場合、図２に示しているように各サーバ室ユニットＵ１の側方に一連の保守通路３３を設けることが好ましい。
勿論、建物内へのサーバ室ユニットＵ１の設置作業は、予め部品化して工場製作したサーバ室ユニットＵ１を搬送して設置位置において組み立てて据え付けるだけで極めて容易に行い得るから、現場作業を大幅に軽減できて効率的な施工性が可能であるし、必要に応じてサーバ室ユニットＵ１の設置台数を適宜増減することが可能であるから将来的な需要変動に対して容易にかつ迅速に対応することができる。
【００２７】
なお、ケーシング２を屋外仕様とすればこのサーバ室ユニットＵ１をそのまま屋外に設置することも可能であり、その場合は屋外型のデータセンターを構成できる。
但し、保守性を考慮すれば屋外に設置するよりも建物内にサーバ室ユニットＵ１を設置して室内型のサーバ室を構成することが現実的であり、その場合にはケーシング２は簡易な間仕切りとして機能する程度で充分である。
また、建物内に設置する場合にはその設置スペースにはさほどの階高を必要とはしないが、サーバ室ユニットＵ１から外部への排気経路と外部からの外気の取入経路を建物内に別途確保する必要がある。
【００２８】
以上のように、本発明によれば、サーバ室を高度にユニット化したことにより製作コストを充分に軽減できるし、施工性や品質確保の点でも有利であり、その結果、サーバ室の省スペース化、省エネ・設備投資効率化を充分に図ることが可能であるし、大規模なデータセンターを短工期、低コストで構築でき、その施工に際しての施工性向上と設備品質も充分に確保することができる。
【００２９】
以上で本発明の第１実施形態を説明したが、以下に他の実施形態を説明する。
なお、以下の説明では各実施形態のサーバ室ユニットＵ１〜Ｕ４に共通する要素については同一符号を付して説明を簡略化する。
【００３０】
図３は第２実施形態（請求項３に係る発明に相当）であるサーバ室ユニットＵ２を示し、図４はそのサーバ室ユニットＵ２により構成したデータセンターの一例を示す。
本第２実施形態のサーバ室ユニットＵ２は、第１実施形態のサーバ室ユニットＵ１を２台並設して双方のコールドエリア４を共有した形態とすることにより、さらなるコンパクト化を図ったものである。
すなわち、本第２実施形態のサーバ室ユニットＵ２は、ケーシング２内の中央部にコールドエリア４を設定するとともに、その両側にそれぞれホットエリア５を設定し、それらコールドエリア４とその両側のホットエリア５との境界部に沿ってサーバラック１を二列に配列したものである。
【００３１】
このサーバ室ユニットＵ２によれば、コールドエリア４の両側にサーバラック１を２列に配列したことにより、第１実施形態のサーバ室ユニットＵ１に比べてサーバラック１の収容台数を倍増したうえで、その幅寸法をサーバ室ユニットＵ１の２台分よりは小さくできる。
たとえば図１に示したサーバ室ユニットＵ１を単に２台並設して全２０台のサーバラック１を有するサーバ室を構成した場合には、その幅寸法は3600×2＝7200mmとなるが、本第２実施形態のサーバ室ユニットＵ２では図３に示すように１台で同じく全２０台のサーバラック１を有するサーバ室を構成でき、しかもその幅寸法をたとえば6000mmまで小さくできる。
したがって、図４に示すようにこのサーバ室ユニットＵ２を２台並設して全４０台のサーバラック１を有するサーバ室とすれば、その全体の奥行きは12000mmで済み、第１実施形態のサーバ室ユニットＵ１を４台並設する場合の奥行き寸法14400mmに比べて充分に省スペースを図ることができる。
【００３２】
図５は第３実施形態（請求項４に係る発明に相当）であるサーバ室ユニットＵ３を示し、図６はそのサーバ室ユニットＵ３により構成したデータセンターの一例を示す。
本第３実施形態のサーバ室ユニットＵ３は、第１実施形態のサーバ室ユニットＵ１におけるコールドエリア４とホットエリア５を上下２段に重ねた形態として、さらなるコンパクト化を図ったものである。
すなわち、本第３実施形態のサーバ室ユニットＵ３は、ケーシング２内の下部にコールドエリア４を設定するとともにケーシング２内の上部にホットエリア５を設定し、サーバラック１をケーシング内の下部においてその片側に一列に配列して、そのサーバラック１を前面側のコールドエリア４から上面側のホットエリア５に通風可能としたものである。
なお、図５（ａ）に示すようにサーバラック１の上部とホットエリア５との間にスペースが生じる場合にはそこにダクト３４を設置してサーバラック１からの暖気をホットエリア５に直接的に導くようにすれば良い。また、必要に応じて図５（ｂ）に示すようにホットエリア５の内部に配線スペース３５を確保すれば良い。
【００３３】
このサーバ室ユニットＵ３によれば、コールドエリア４とホットエリア５を上下２段に設定したことにより、全体の高さ寸法はやや大きくなるものの、全体の長さおよび幅は小さくできて平面的には充分なコンパクト化を実現できるものである。
たとえば図１に示したサーバ室ユニットＵ１は全１０台のサーバラック１を有するものとしては、長さ11700mm×幅3600mm×高さ3000mmであるが、本第３実施形態のサーバ室ユニットＵ３で同じく全１０台のサーバラック１を有するものは、図５に示すようにたとえば長さ10200mm×幅2400×高さ4500mmで済み、平面的には充分に小さくできる。
したがって、図６に示すようにこのサーバ室ユニットＵ３を４台並設して全４０台のサーバラック１を有するサーバ室とすれば、その全体の幅と奥行きを小さくでき、特に奥行きは9600mmで済むので、第１実施形態のサーバ室ユニットＵ１を４台並設する場合の奥行き寸法14400mmに比べて大幅な省スペース化を実現できる。
なお、この場合においてはサーバラック１への保守はその前面のコールドエリア４から支障なく行い得るが、背面側からの保守も必要な場合には隣接配置した他のサーバ室ユニットＵ３内から行うことも可能であり、そのための点検扉をケーシング２の両側面に予め設けておけば良い。
【００３４】
図７は第４実施形態（請求項５に係る発明に相当）のサーバ室ユニットＵ４を示す。
これは、第１実施形態のサーバ室ユニットＵ１と第３実施形態のサーバ室ユニットＵ３とを組み合わせたような形態のもので、図７（ｄ）に示すようにケーシング２内の一方側にコールドエリア４を設定するとともに、ケーシング２内の他方側を上下２段に区画してその上段にホットエリア５を設定し、サーバラック１をホットエリア５の下部においてケーシング２の長さ方向に沿って一列に配列したものである。
本第４実施形態のサーバ室ユニットＵ４は、第３実施形態のサーバ室ユニットＵ３におけるダクト３４を省略してサーバラック１からの暖気をその上面から直上のホットエリア５に直接排気することにより高さをさらに小さくし、幅寸法を図５に示した第３実施形態のサーバ室ユニットＵ３と同等（図示例では2400mm）としながら、高さ寸法を図１に示した第１実施形態のサーバ室ユニットＵ１と同等（図示例では3000mm）とできるものである。よって、第３実施形態の図６と同様に大幅な省スペース化を実現できることは言うまでもない。
【００３５】
以上で本発明の実施形態を説明したが、上記各実施形態はあくまで好適な一例であって本発明は上記各実施形態に限定されるものでは勿論なく、要はサーバ室を高度にユニット化してそれ自体でサーバ室として機能するサーバ室ユニットを構成し、大規模なサーバ室を構成する場合にはそのサーバ室ユニットを所望台数並設すれば良いのであって、その限りにおいて各部の構成、たとえばケーシングの形態や形状や寸法、サーバラックの収容台数、ケーシング内におけるコールドエリアおよびホットエリアの設定パターン、ケーシング内における外気や冷気の流通経路パターン、冷却設備としての空調装置や排気ファンの具体的な構成（制御装置その他の関連諸装置類の構成を含む）、排気室や空調機室やミキシングチャンバの配置パターン（それらを省略することも含む）、建物内あるいは外部へのサーバ室ユニットの並設パターン、その他については、適宜の設計的変更や応用が可能であることは当然である。
【符号の説明】
【００３６】
Ｕ１、Ｕ２、Ｕ３、Ｕ４  サーバ室ユニット
１  サーバラック
２  ケーシング
４  コールドエリア
５  ホットエリア
１０  冷却設備
１１  排気ファン
１２  空調装置
１３  冷却器
１４  給気ファン
２０  排気室
２１  空調機室
２２  ミキシングチャンバ
２３  インフラ設備
２５  給気ガラリ
２６  還気ガラリ
２７  還気ダンパ
２８  外気ダンパ
２９  排気ガラリ
３０  排気ダンパ
３１  排気ガラリ
３２  点検扉
３３  保守通路
３４  ダクト
３５  配線スペース
【図１】
0005682025.tif 000002
【図２】
0005682025.tif 000003
【図３】
0005682025.tif 000004
【図４】
0005682025.tif 000005
【図５】
0005682025.tif 000006
【図６】
0005682025.tif 000007
【図７】
0005682025.tif 000008